Podtech/llm-jp-corpus-v4-ja_patent huggingface dataset:
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
ハプテンゲル製剤を含む組成物であって、該組成物が、
ａ）非イオン性界面活性剤を含む第１の共溶媒；
ｂ）アルコール性エステルを含む第２の共溶媒；および
ｃ）ゲル化剤
を含む、前記組成物。
【請求項２】
第１の共溶媒が、モノオレイン酸ポリオキシエチレン（２０）、モノオレイン酸ポリオキシエチレン（２０）ソルビタン、ポリソルベート８０、パルミタートおよびステアラートからなる群から選択され、第２の共溶媒が、ミリスチン酸イソプロピルおよびパルミチン酸イソプロピルからなる群から選択され、ならびにゲル化剤が、ステアリン酸ポリオキシル４０およびヒドロキシプロピルセルロースからなる群から選択され、さらに任意に、組成物が、０．０１〜１％のＢＨＴ、１０〜２０％のポリソルベート８０、１０〜２０％のミリスチン酸イソプロピル、５〜１５％のプロピレングリコール、０．１〜５％のKlucelおよび４０〜７０％のイソプロピルアルコールを含む、請求項１に記載の組成物。
【請求項３】
第１の共溶媒がポリソルベート８０であり、第２の共溶媒がミリスチン酸イソプロピルであり、およびゲル化剤がステアリン酸ポリオキシル４０であり、ならびに任意に、組成物がブチル化ヒドロキシトルエンをさらに含む、請求項２に記載の組成物。
【請求項４】
ハプテンが、ＤＰＣＰ、イミキモド、インゲノールメブタート、またはＳＡＤＢＥである、請求項１〜３のいずれか一項に記載の組成物。
【請求項５】
組成物が、０．００００００１％〜約１％のＤＰＣＰを含む、請求項４に記載の組成物。
【請求項６】
ハプテン軟膏製剤を含む組成物であって、該組成物が、
ａ）非イオン性界面活性剤を含む第１の共溶媒、
ｂ）アルコール性エステルを含む第２の共溶媒、および
ｃ）増粘剤
を含む、前記組成物。
【請求項７】
第１の共溶媒が、モノオレイン酸ポリオキシエチレン（２０）、モノオレイン酸ポリオキシエチレン（２０）ソルビタン、ポリソルベート８０、パルミタートおよびステアラートからなる群から選択され、第２の共溶媒が、ミリスチン酸イソプロピルおよびパルミチン酸イソプロピルからなる群から選択され、ならびに増粘剤が、白ろう、セチルエステルワックス、およびモノステアリン酸グリセリルからなる群から選択される、請求項６に記載の組成物。
【請求項８】
第１の共溶媒がポリソルベート８０である、請求項６または７に記載の組成物。
【請求項９】
第２の共溶媒がミリスチン酸イソプロピルである、請求項６〜８のいずれか一項に記載の組成物。
【請求項１０】
増粘剤が白ろうである、請求項６〜９のいずれか一項に記載の組成物。
【請求項１１】
ブチル化ヒドロキシトルエンをさらに含む、請求項６〜１０のいずれか一項に記載の組成物。
【請求項１２】
組成物が、０．０１〜１％のＢＨＴ、２０〜５０％のポリソルベート８０、２０〜５０％のミリスチン酸イソプロピル、２．５〜２０％の白ろう、２．５〜２０％のセチルエステルワックス、０〜１０％のモノステアリン酸グリセリル、０〜１％のメチルパラベン、および／または０〜１％のプロピルパラベンを含む、請求項６〜１１のいずれか一項に記載の組成物。
【請求項１３】
ハプテンが、ＤＰＣＰ、イミキモド、インゲノールメブタート、またはＳＡＤＢＥである、請求項６〜１２のいずれか一項に記載の組成物。
【請求項１４】
組成物が、０．００００００１％〜約１％のＤＰＣＰを含む、請求項６〜１３のいずれか一項に記載の組成物。
【請求項１５】
組成物が、約０．０４％のＤＰＣＰを含む、請求項１４に記載の組成物。
【請求項１６】
組成物が、約０．４％のＤＰＣＰを含む、請求項１４に記載の組成物。
【請求項１７】
組成物が、円形脱毛症の処置における使用のためのものである、請求項１〜１６のいずれか一項に記載の組成物。
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
子癇前症（ＰＥ）、又はＣＳＥ／Ｈ２Ｓ経路の異常調節若しくは血管新生の欠損に起因する胎児発育不全の治療のための、妊娠被験体においてＨ2Ｓを産生する化合物若しくはＨ2Ｓ産生を刺激する能力のある化合物を含む医薬組成物。
【請求項２】
前記Ｈ2Ｓを産生する化合物が、ＡＣＳ８６、ＤＡＴＳ（ジアリルトリスルフィド）、スルファン硫黄、チオシステイン、ＧＳＨ  ハイドロペルスルフィド、ＳＧ１００２、シルデナフィルのＨ2Ｓ供与誘導体、ＴＢＺ及び４−ヒドロキシフェニルイソチオシアネート、チオグリシン、１−チオリシン、１−チオバリン又はその塩、又は、Ｈ2Ｓ−Ｌ−ＤＯＰＡである、請求項１に記載の医薬組成物。
【請求項３】
請求項１又は２に記載の医薬組成物を用いた治療を行う前の被験体の血液、血清又は血漿のサンプルのＨ2Ｓの量を測定すること、及び、治療後に採取されたサンプル中のＨ２Ｓの量と比較すること、を含む、子癇前症、又は、ＣＳＥ／Ｈ２Ｓ経路の異常調節若しくは血管新生の欠損に起因する胎児発育障害の治療を監視するための方法。
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
核酸の増幅の時間依存的なモニタリングに基づく、サンプル中の核酸の存在及び／又は量を決定する方法であって、
（ａ）所定量の第１の核酸及び所定量の第２の核酸のうちの１以上を含むと予測されるサンプル；
前記第１の核酸と複合体を形成することができる所定量のＦＲＥＴ化合物、ここで、前記ＦＲＥＴ化合物は、複合体を形成していない状態では第１の検出可能な特徴を有し、複合体を形成した状態では第２の検出可能な特徴を有する第１の検出可能な標識と、前記第１の核酸の領域に特異的な結合部分と、消光体とを含む；
前記第２の核酸と複合体を形成することができる所定量のレポーター化合物、ここで、各レポーター化合物は、前記第２の核酸の領域に特異的な結合部分と、第２の検出可能な標識とを含み、ここで、第１の検出可能な標識と前記第２の検出可能な標識は、同じ蛍光体であり、前記ＦＲＥＴ化合物及び前記レポーター化合物は、オリゴヌクレオチドである、
を反応チャンバーに導入すること、
ここで、前記反応チャンバーは、レポーター化合物を捕捉することが可能な結合部材と、前記反応チャンバーが、緩和された状態の内容積と、カバー要素が変形すると圧縮された状態の内容積とを有するように、少なくとも部分的に変形可能なように構成されたカバー要素とを備え、前記結合部材は、前記カバー要素の上に配置されるか又は前記カバー要素と対抗する表面に配置され、
ここで、前記第２の核酸と前記レポーター化合物との複合体の形成により、前記結合部材による前記レポーター化合物の捕捉が阻害される、
（ｂ）前記第１の核酸及び／又は前記第２の核酸を増幅させること、
（ｃ）第１の核酸及びＦＲＥＴ化合物をそれぞれ含む複合体を形成すること、
（ｄ）所定量のレポーター化合物の一部と第２の核酸との複合体を形成すること、
（ｅ）前記所定量のレポーター化合物のうち、第２の核酸と複合体になっていない残りの部分を前記結合部材に捕捉すること、
（ｆ）緩和された状態の内容積を有する前記反応チャンバー内の溶液中におけるＦＲＥＴ化合物と複合した第１の核酸の存在及び／又は量の指標となる値を決定すること、
（ｇ）圧縮された状態の内容積を有する前記反応チャンバー内の前記結合部材に捕捉されたレポーター化合物の存在及び／又は量の指標となる値を決定すること、
（ｈ）前記結合部材に捕捉されたレポーター化合物の存在及び／又は量の指標となる前記値を基準として、第２の核酸の存在及び／又は量の指標となる値を決定すること
を含む、方法。
【請求項２】
上記（ｂ）において、第１の核酸及び／又は第２の核酸を増幅の前に逆転写させる、請求項１に記載の方法。
【請求項３】
第１の検出可能な標識及び第２の検出可能な標識が両方とも、３００ｎｍ〜８５０ｎｍの範囲の波長で発光する、請求項１又は２に記載の方法。
【請求項４】
ＦＲＥＴ化合物によって捕捉された第１の核酸の存在及び／又は量の指標となる値が、複合体を形成した状態のＦＲＥＴ化合物で決定される、請求項１〜３のいずれか１項に記載の方法。
【請求項５】
第１の核酸が検体であり、及び／又は
第２の核酸が、第２の検体及びコントロール核酸からなる群から選択され、及び／又は
第１の核酸が、サンプルあたり１００コピー数に満たない量で存在し、及び／又は
第２の核酸が、サンプルあたり１００コピー数以上の量で存在する、
請求項１〜４のいずれか１項に記載の方法。
【請求項６】
（ｃ）第１の核酸及びＦＲＥＴ化合物をそれぞれ含む複合体を形成する工程、（ｄ）所定量のレポーター化合物の一部と、所定量の第２の核酸の少なくとも一部との複合体を形成する工程、及び（ｅ）所定量のレポーター化合物のうち、第２の核酸と複合体になっていない残りの部分を結合部材に捕捉する工程が、同時に行われる、請求項１〜５のいずれか１項に記載の方法。
【請求項７】
第１の核酸及び第２の核酸の増幅が、工程（ｄ）の前に開始されるか、又は工程（ｃ）、（ｄ）及び（ｅ）と同時に行われる、請求項６に記載の方法。
【請求項８】
第２の核酸が、陽性増幅コントロール及び陰性増幅コントロールからなる群から選択される、請求項６に記載の方法。
【請求項９】
結合部材は、レポーター化合物を結合部材に捕捉することができる、１つ以上の異なるレポーターに特異的な捕捉化合物を含む、請求項１〜８のいずれか１項に記載の方法。
【請求項１０】
レポーターに特異的な捕捉化合物が、オリゴヌクレオチドであり、及び／又は
異なるレポーターに特異的な捕捉化合物が、結合部材に対して異なる位置に配置されており、及び／又は
レポーターに特異的な捕捉化合物との複合体を形成することによって、レポーター化合物が結合部材に捕捉され、及び／又は
第２の核酸と複合体を形成することができるレポーター化合物の相互作用部位の少なくとも一部が、レポーターに特異的な捕捉化合物との複合体を形成することもでき、及び／又は
レポーターに特異的な捕捉化合物と第２の核酸が、レポーター化合物との複合体の形成について競合する、請求項９に記載の方法。
【請求項１１】
ＦＲＥＴ化合物によって捕捉された第１の核酸の存在及び／又は量の指標となる値と、結合部材に捕捉されたレポーター化合物の存在及び／又は量の指標となる値とが、連続して、又は同時に決定される、請求項１〜１０のいずれか１項に記載の方法。
【請求項１２】
増幅が、二本鎖の核酸を変性する工程を含み、ここで、前記二本鎖の核酸は、レポーター化合物と第２の核酸との複合体、レポーター化合物とレポーターに特異的な捕捉化合物との複合体、レポーター化合物の二本鎖及び第１の核酸及び／又は第２の核酸の二本鎖を含み、及び／又は、増幅は、プライマー化合物を第１の核酸及び／又は第２の核酸にアニーリングする工程を含む、請求項８〜１１のいずれか１項に記載の方法。
【請求項１３】
アニーリングする工程は、所定量のレポーター化合物の一部と、第２の核酸の少なくとも一部との複合体を形成する工程、及び／又は所定量のレポーター化合物のうち、第２の核酸と複合体になっていない残りの部分を結合部材に捕捉する工程と同時に行われる、請求項１２に記載の方法。
【請求項１４】
増幅は、等温増幅法である、又は、周期的増幅である、請求項８〜１３のいずれか１項に記載の方法。
【請求項１５】
等温増幅法は、等温ＮＥＡＲである、請求項１４に記載の方法。
【請求項１６】
周期的増幅は、ＰＣＲであり、ＰＣＲを行うことはエキソヌクレアーゼ活性を有するポリメラーゼを用いることを含む、請求項１４に記載の方法。
【請求項１７】
結合部材に捕捉されたレポーター化合物の存在及び／又は量の指標となる値は、周期的増幅のそれぞれの周期の後に決定され、第１の核酸及び／又は第２の核酸の存在及び／又は量の指標となる値が、結合部材に捕捉されたレポーター化合物の存在及び／又は量の指標となる値を決定した後に、それぞれの時間で決定される、請求項１４〜１６のいずれか１項に記載の方法。
【請求項１８】
第２の核酸の存在及び／又は量の指標となる値が、レポーター化合物の存在及び／又は量の指標となる値と、第２の核酸の存在及び／又は量の指標となる値との相関関係を示す検量曲線に基づいて決定される、請求項２〜１７のいずれか１項に記載の方法。
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
ヒトＣＤ２７に結合する抗体またはその抗原結合断片であって、
ａ．Ｘ１＝Ｍである配列番号１のアミノ酸配列、または前記配列と１つ、２つまたは３つの保存的置換だけ異なるアミノ酸配列を含む重鎖可変領域ＣＤＲ１、
ｂ．Ｘ１＝Ｎ、Ｘ２＝Ｔ、Ｘ３＝ＮおよびＸ４＝Ｔである配列番号２のアミノ酸配列、または前記配列と１つ、２つまたは３つの保存的置換だけ異なるアミノ酸配列を含む重鎖可変領域ＣＤＲ２、
ｃ．Ｘ１＝Ｍである配列番号３のアミノ酸配列、または前記配列と１つ、２つまたは３つの保存的置換だけ異なるアミノ酸配列を含む重鎖可変領域ＣＤＲ３、
ｄ．Ｘ１＝Ｍである配列番号４のアミノ酸配列、または前記配列と１つ、２つまたは３つの保存的置換だけ異なるアミノ酸配列を含む軽鎖可変領域ＣＤＲ１、
ｅ．Ｘ１＝ＤおよびＸ２＝Ｔである配列番号５のアミノ酸配列、または前記配列と１つ、２つまたは３つの保存的置換だけ異なるアミノ酸配列を含む軽鎖可変領域ＣＤＲ２、および
ｆ．Ｘ１＝Ｗ、Ｘ２＝ＮおよびＸ３＝Ｓである配列番号６のアミノ酸配列、または前記配列と１つ、２つまたは３つの保存的置換だけ異なるアミノ酸配列を含む軽鎖可変領域ＣＤＲ３
を含む、抗体またはその抗原結合断片。
【請求項２】
請求項１に記載の抗体またはその抗原結合断片であって、
配列番号１０〜１３のいずれか１つ、もしくは配列番号１０〜１３の１つと、１つ、２つもしくは３つの保存的置換だけ異なるアミノ酸配列からなる群から選択される可変重鎖、および／または、配列番号１５〜１８のいずれか１つ、もしくは配列番号１５〜１８の１つと、１つ、２つもしくは３つの保存的置換だけ異なるアミノ酸配列からなる群から選択される可変軽鎖、を含む抗体またはその抗原結合断片。
【請求項３】
請求項１に記載の抗体またはその抗原結合断片であって、
配列番号１０のアミノ酸配列、もしくは前記配列と１つ、２つもしくは３つの保存的置換だけ異なるアミノ酸配列を含む重鎖可変領域、および、配列番号１５のアミノ酸配列、もしくは前記配列と１つ、２つもしくは３つの保存的置換だけ異なるアミノ酸配列を含む軽鎖可変領域、を含む抗体またはその抗原結合断片。
【請求項４】
２つの重鎖および２つの軽鎖を含むヒト化抗体であり、そしてＩｇＧである、請求項１〜３のいずれか一項に記載の抗体またはその抗原結合断片。
【請求項５】
ヒトＩｇＧ１アイソタイプの抗体である、請求項１〜４のいずれか一項に記載の抗体またはその抗原結合断片。
【請求項６】
前記抗体が配列番号３０の重鎖定常ドメインを含む、請求項１〜４のいずれか一項に記載の抗体またはその抗原結合断片。
【請求項７】
配列番号３６のアミノ酸配列、及び、配列番号３７のアミノ酸配列を含む、請求項１〜４のいずれか一項に記載の抗体またはその抗原結合断片。
【請求項８】
２つの軽鎖および２つの重鎖からなる抗体であって、ここで、各軽鎖が配列番号１５のアミノ酸配列を含み、そして各重鎖が配列番号１０のアミノ酸配列を含む、請求項１〜４のいずれか一項に記載の抗体またはその抗原結合断片。
【請求項９】
２つの軽鎖および２つの重鎖からなる抗体であって、ここで、各軽鎖が配列番号３６のアミノ酸配列を含み、そして各重鎖が配列番号３７のアミノ酸配列を含む、請求項１〜４のいずれか一項に記載の抗体またはその抗原結合断片。
【請求項１０】
抗体またはその抗原結合断片が、ＣＨＯ細胞による発現に特徴的なグリコシル化パターンを含む、請求項１〜９のいずれか一項に記載の抗体またはその抗原結合断片。
【請求項１１】
請求項１〜１０に記載の抗体もしくはその抗原結合断片のいずれか１つをコードする単離核酸。
【請求項１２】
配列番号４６もしくは配列番号４７またはその両方を含む単離核酸。
【請求項１３】
請求項１１または１２に記載の単離核酸を含む発現ベクター。
【請求項１４】
請求項１１又は１２に記載の単離核酸または請求項１３に記載の発現ベクターを含む宿主細胞。
【請求項１５】
チャイニーズハムスター卵巣細胞である、請求項１４に記載の宿主細胞。
【請求項１６】
抗体またはその抗原結合断片を産生する方法であって、
ａ．請求項１〜１０に記載の抗体またはその抗原結合断片のいずれか１つの重鎖および／または軽鎖をコードする核酸を含む宿主細胞を、前記核酸の発現に都合よい条件下で培養し、そして
ｂ．場合により前記宿主細胞および／または培養培地から前記抗体またはその抗原結合断片を回収する、
ことを含む、方法。
【請求項１７】
請求項１〜１０のいずれか一項に記載の抗体またはその抗原結合断片、および薬学的に許容される担体または希釈剤を含む組成物。
【請求項１８】
がんを処置するための医薬の製造のための、請求項１〜１０のいずれか一項に記載の抗体またはその抗原結合断片、または、請求項１７に記載の医薬組成物の使用。
【請求項１９】
ａ．抗ＬＡＧ３抗体またはその抗原結合断片、
ｂ．抗ＴＩＧＩＴ抗体またはその抗原結合断片、
ｃ．抗ＶＩＳＴＡ抗体またはその抗原結合断片、
ｄ．抗ＢＴＬＡ抗体またはその抗原結合断片、
ｅ．抗ＴＩＭ３抗体またはその抗原結合断片、
ｆ．抗ＣＴＬＡ４抗体またはその抗原結合断片、
ｇ．抗ＨＶＥＭ抗体またはその抗原結合断片、
ｈ．抗ＣＤ７０抗体またはその抗原結合断片、
ｉ．抗ＯＸ４０抗体またはその抗原結合断片、
ｊ．抗ＣＤ２８抗体またはその抗原結合断片、
ｋ．抗ＰＤ１抗体またはその抗原結合断片、
ｌ．抗ＰＤＬ１抗体またはその抗原結合断片、
ｍ．抗ＰＤＬ２抗体またはその抗原結合断片、
ｎ．抗ＧＩＴＲ抗体またはその抗原結合断片、
ｏ．抗ＩＣＯＳ抗体またはその抗原結合断片、
ｐ．抗ＳＩＲＰα抗体またはその抗原結合断片、
ｑ．抗ＩＬＴ２抗体またはその抗原結合断片、
ｒ．抗ＩＬＴ３抗体またはその抗原結合断片、
ｓ．抗ＩＬＴ４抗体またはその抗原結合断片、
ｔ．抗ＩＬＴ５抗体またはその抗原結合断片、
ｕ．抗４−１ＢＢ抗体またはその抗原結合断片、
ｖ．抗ＮＫ２ＧＡ抗体またはその抗原結合断片、
ｗ．抗ＮＫ２ＧＣ抗体またはその抗原結合断片、
ｘ．抗ＮＫ２ＧＥ抗体またはその抗原結合断片、
ｙ．抗ＴＳＬＰ抗体またはその抗原結合断片、
ｚ．抗ＩＬ１０抗体またはその抗原結合断片、
ａａ．ＳＴＩＮＧアゴニスト、
ｂｂ．ＣＸＣＲ２アンタゴニスト、および
ｃｃ．ＰＡＲＰ阻害剤
からなる群から選択される薬剤をさらに含む、請求項１８に記載の使用。
【請求項２０】
抗ＰＤ１抗体またはその抗原結合断片と組み合わせて投与される、請求項１９に記載の使用。
【請求項２１】
前記抗ＰＤ１抗体またはその抗原結合断片が、ペムブロリズマブ、ニボルマブ、またはそれらの抗原結合断片である、請求項２０に記載の使用。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
スタートレバーと、
複数のリールと、
複数のストップボタンと、
所定のサブボタンと、を有し、
所定のサブボタンの操作を促す所定の促進報知演出と、所定の応答演出を実行可能とし、
スタートレバーの操作が行われた後に、所定の促進報知演出を実行可能であり、
所定の促進報知演出を実行中であって、ストップボタンに対する最初の停止操作が行われる前に所定のサブボタンに対する操作が行われた場合には所定の応答演出を実行可能とし、
所定の促進報知演出を実行中であって、所定のサブボタンに対する操作が行われる前にストップボタンに対する最初の停止操作が行われた場合にも所定の応答演出を実行可能とし、
所定の応答演出は、ストップボタンに対する停止操作を契機として終了せず、複数のリールが全て停止した後も継続して実行可能とし、
次の遊技のスタートレバーの操作が行われた後に、所定の応答演出と異なる所定の演出を実行可能とすることを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、スタートレバーと、複数のリールと、複数のストップボタンと、所定のサブボタンと、を有し、所定のサブボタンの操作を促す所定の促進報知演出と、所定の応答演出を実行可能とし、スタートレバーの操作が行われた後に、所定の促進報知演出を実行可能であり、所定の促進報知演出を実行中であって、ストップボタンに対する最初の停止操作が行われる前に所定のサブボタンに対する操作が行われた場合には所定の応答演出を実行可能とし、所定の促進報知演出を実行中であって、所定のサブボタンに対する操作が行われる前にストップボタンに対する最初の停止操作が行われた場合にも所定の応答演出を実行可能とし、所定の応答演出は、ストップボタンに対する停止操作を契機として終了せず、複数のリールが全て停止した後も継続して実行可能とし、次の遊技のスタートレバーの操作が行われた後に、所定の応答演出と異なる所定の演出を実行可能とすることを特徴とする。
また、本発明の変更例に係る遊技機は、図柄が付された複数のリールと、役抽選により当選役を決定する当選役決定手段と、前記複数のリールの各々に対応した複数のストップボタンと、前記複数のリールの作動を制御するリール制御手段と、を有し、前記当選役決定手段による抽選結果には、複数のストップボタンの操作態様により入賞役の図柄組合せが有効ライン上に停止表示される確率が異なる複数の操作対応役の何れかが当選する特定役抽選結果を含み、前記リール制御手段は、前記特定役抽選結果となった遊技において、前記特定役抽選結果に対応付けられた複数種類の押し順のうち所定の押し順で複数のストップボタンが操作されたときは、第１の図柄組合せをタイミングによらず停止表示し、複数のストップボタンの操作が複数種類の押し順のうち前記所定の押し順とは異なる押し順で操作されたときは、第２の図柄組合せをタイミングによっては停止表示可能とし、第１停止操作で所定のリールに対して所定のタイミングで停止操作がされたときは、第３の図柄組合せを残りのリールに対する操作タイミングによらず停止表示し、第１停止操作で前記所定のリールに対して前記所定のタイミングとは異なるタイミングで操作がされたときは、第４の図柄組合せを残りのリールに対する操作タイミングによっては停止表示可能とし、前記特定役抽選結果に対応付けられた複数種類の押し順で操作して前記第１の図柄組合せ又は前記第２の図柄組合せが停止表示される確率と、前記第１停止操作で前記所定のリールに対する停止操作がされた場合の、前記第３の図柄組合せ又は前記第４の図柄組合せが停止表示される確率とが同一であることを特徴とする。
【手続補正３】
【補正対象書類名】明細書
【補正対象項目名】０００７
【補正方法】変更
【補正の内容】
【０００７】
また、本発明の変更例に係る遊技機は、次式の条件を満足することが好ましい。
Ａ／Ｓ＋Ｂ×Ｔ  ＝  Ｃ／Ｐ＋Ｑ×Ｄ
１／Ｓ＋Ｔ  ＝  １／Ｐ＋Ｑ
但し、
Ｓ：前記特定役抽選結果に対応付けられる押し順の選択数  Ｔ：前記所定の押し順とは異なる押し順で操作されたときに前記第２の図柄組合せが停止表示される確率の平均値
Ｐ：前記特定役抽選結果に対応付けられるタイミングの選択数
Ｑ：前記所定のタイミングとは異なるタイミングで操作がされたときに前記第４の図柄組合せが停止表示される確率の平均値
Ａ：前記第１の図柄組合せが停止表示されたときの遊技媒体の払出枚数
Ｂ：前記第２の図柄組合せが停止表示されたときの遊技媒体の払出枚数
Ｃ：前記第３の図柄組合せが停止表示されたときの遊技媒体の払出枚数
Ｄ：前記第４の図柄組合せが停止表示されたときの遊技媒体の払出枚数
【手続補正４】
【補正対象書類名】明細書
【補正対象項目名】０００８
【補正方法】変更
【補正の内容】
【０００８】
本発明の変更例に係る遊技を以上のように構成すると、第１停止操作で第１リール対して停止操作をするか、第２リール対して停止操作をするかで、遊技方法（押し順か目押し）を選択することができる。このとき、押し順で遊技を行っても、目押しで遊技を行っても有利度、利益に差が生じない。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
第１オブジェクトを育成するゲームにおいて、複数の第２オブジェクトの中から使用対象を選択するための操作を受け付ける受付手段と、
前記使用対象として選択された第２オブジェクトに基づいて、前記第１オブジェクトの育成に関する複数の効果の各々が前記ゲームで発生する順序を設定する設定手段と、
前記使用対象の第２オブジェクトが確定される前に、前記順序をユーザに提示する提示手段と、
を含むゲームシステム。
【請求項２】
前記設定手段は、前記使用対象として選択された第２オブジェクトが変更された場合、当該変更された第２オブジェクトに基づいて、前記順序を再設定し、
前記提示手段は、前記変更された第２オブジェクトが確定される前に、再設定された前記順序を前記ユーザに提示する、
請求項１に記載のゲームシステム。
【請求項３】
前記設定手段は、前記使用対象として選択された第２オブジェクトの組み合わせに基づいて、前記順序を設定する、
請求項１又は２に記載のゲームシステム。
【請求項４】
前記設定手段は、前記使用対象として選択された第２オブジェクトに基づいて、前記複数の効果の各々の内容と、各効果が付与される順序と、を設定する、
請求項１〜３の何れかに記載のゲームシステム。
【請求項５】
前記設定手段は、前記複数の効果のうちの一の効果から他の効果に到達するのに複数通りの順序が存在するように、前記順序を設定する、
請求項１〜４の何れかに記載のゲームシステム。
【請求項６】
第１オブジェクトを育成するゲームにおいて、複数の第２オブジェクトの中から使用対象を選択するための操作を受け付ける受付手段と、
前記使用対象として選択された第２オブジェクトに基づいて、前記第１オブジェクトの育成に関する複数の効果の各々が発生する順序を設定する設定手段と、
前記使用対象の第２オブジェクトが確定される前に、前記順序をユーザに提示する提示手段と、
を含むゲーム制御装置。
【請求項７】
請求項１〜５の何れかに記載のゲームシステム、又は、請求項６に記載のゲーム制御装置、としてコンピュータを機能させるためのプログラム。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
１つ以上のメモリ装置と、前記メモリ装置と通信するコンピューティング装置と、を備えるステント配置評価システムであって、
前記メモリ装置は前記コンピューティング装置によって実行可能な命令を備え、前記命令は、
血管セグメントの第１の表現を生成すること、
ユーザインタフェースを生成すること、
ユーザに前記第１の表現を表示すること、
ステントの展開後に、前記血管セグメントの第２の表現を生成すること、
前記第２の表現を表示すること、及び、
前記第２の表現に関する１つ以上の血管またはステントのパラメータを表示すること、
を前記コンピューティング装置に行わせる、
システム。
【請求項２】
前記コンピューティング装置によって実行可能な前記命令は、
前記ユーザインタフェースから１つ以上のユーザの選択に応答して、ターゲットステント外形を生成すること、
を前記コンピューティング装置に行わせる、
請求項１に記載のシステム。
【請求項３】
前記コンピューティング装置によって実行可能な前記命令は、
前記ターゲットステント外形を前記第１の表現または前記第２の表現の１つ以上の領域と比較することにより、前記１つ以上の血管またはステントのパラメータを決定すること、
を前記コンピューティング装置に行わせる、
請求項２に記載のシステム。
【請求項４】
前記コンピューティング装置によって実行可能な前記命令は、
前記第２の表現または１つ以上の血管内データのセットを使用して、血管内腔外形を生成すること、
を前記コンピューティング装置に行わせる、
請求項１に記載のシステム。
【請求項５】
前記１つ以上の血管またはステントのパラメータは、展開された前記ステントが拡張不足または拡張過剰であることを示す、
請求項１に記載のシステム。
【請求項６】
前記コンピューティング装置によって実行可能な前記命令は、
前記血管内の１つ以上の側枝を検出すること、
を前記コンピューティング装置に行わせる、
請求項１に記載のシステム。
【請求項７】
前記コンピューティング装置によって実行可能な前記命令は、
拘束されている側枝を表示すること、
を前記コンピューティング装置に行わせる、
請求項６に記載のシステム。
【請求項８】
前記コンピューティング装置によって実行可能な前記命令は、
第１の基準フレームおよび第２の基準フレームに応答して生成されたターゲットステント外形を表示すること、
を前記コンピューティング装置に行わせる、
請求項２に記載のシステム。
【請求項９】
前記コンピューティング装置によって実行可能な前記命令は、
側枝ごとに前記ターゲットステント外形の形状を調整すること、
を前記コンピューティング装置に行わせる、
請求項２または８に記載のシステム。
【請求項１０】
前記コンピューティング装置によって実行可能な前記命令は、
前記ターゲットステント外形を内腔外形にオーバーレイすること、
を前記コンピューティング装置に行わせる、
請求項２または８に記載のシステム。
【請求項１１】
前記コンピューティング装置によって実行可能な前記命令は、
前記ステントの展開後に測定したＦＦＲ値またはＶＲＲ値を表示すること、
を前記コンピューティング装置に行わせる、
請求項１に記載のシステム。
【請求項１２】
前記コンピューティング装置によって実行可能な前記命令は、
前記血管セグメントの前記第１の表現または前記第２の表現に関する第１の基準および第２の基準の選択を受信すること、
を前記コンピューティング装置に行わせる、
請求項１に記載のシステム。
【請求項１３】
前記１つ以上の血管またはステントのパラメータは、血流予備量比、流量、血管抵抗比、仮想血流予備量比、シミュレートされた血流予備量比、測定された血流予備量比、及び圧力測定値からなる群から選択される、
請求項１に記載のシステム。
【請求項１４】
前記コンピューティング装置によって実行可能な前記命令は、
ステント後の血管内腔外形とステント前のターゲット外形との間の差、またはフレームごとまたはセグメントごとに前記差と相関のある値を、生成して表示すること、
を前記コンピューティング装置に行わせる、
請求項１に記載のシステム。
【請求項１５】
前記コンピューティング装置によって実行可能な前記命令は、
側枝ごとに前記ターゲットステント外形の形状を調整すること、
を前記コンピューティング装置に行わせる、
請求項１に記載のシステム。
【請求項１６】
前記ターゲットステント外形の形状を調整することは、
（i）遠位基準径が近位基準径よりも小さい場合、検出された各側枝のステント外形をステップアップすること、または
（ii）遠位基準径が近位基準径よりも大きい場合、検出された各側枝のステント外形をステップダウンすること、
により行われる、
請求項１５に記載のシステム。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
車載カメラと、
前記車載カメラの位置を固定するためのブラケットと、を有し、
前記ブラケットには、前記車載カメラが前記ブラケットの接着面に沿って挿入され、かつ、固定されるための通路が形成され、
前記通路は、前記ブラケットの一部と弾性体によって形成され、
前記弾性体は、前記車載カメラの被支持部と前記ブラケットを挟み込み、前記車載カメラを前記ブラケットに保持する、
車載カメラ装置。
【請求項２】
請求項１に記載の車載カメラ装置において、
前記弾性体は、断面形状がＵ字状の板ばねである、
ことを特徴とする車載カメラ装置。
【請求項３】
請求項２に記載の車載カメラ装置において、
前記通路に設けられた開口であって前記被支持部が進入する開口部は、前記板ばねの一端と、前記板ばねの一端と対向する前記ブラケットの一部とで形成された開口である、
ことを特徴とする車載カメラ装置。
【請求項４】
請求項１に記載の車載カメラ装置において、
前記通路は、前記ブラケットの接着面と略平行な方向に形成されている、
ことを特徴とする車載カメラ装置。
【手続補正２】
【補正対象書類名】明細書
【補正対象項目名】発明の名称
【補正方法】変更
【補正の内容】
【発明の名称】車載カメラ装置
【手続補正３】
【補正対象書類名】明細書
【補正対象項目名】０００８
【補正方法】変更
【補正の内容】
【０００８】
本発明の目的は、設置精度を悪化させずに車両の窓ガラスに取り付け可能な車載カメラ装置を提供することにある。
【手続補正４】
【補正対象書類名】明細書
【補正対象項目名】０００９
【補正方法】変更
【補正の内容】
【０００９】
本発明は上記の目的を達成するために、車載カメラ装置において、車載カメラと、前記車載カメラの位置を固定するためのブラケットと、を有し、前記ブラケットには、前記車載カメラが前記ブラケットの接着面に沿って挿入され、かつ、固定されるための通路が形成され、前記通路は、前記ブラケットの一部と弾性体によって形成され、前記弾性体は、前記車載カメラの被支持部と前記ブラケットを挟み込み、前記車載カメラを前記ブラケットに保持する、ことを特徴とする。
【手続補正５】
【補正対象書類名】明細書
【補正対象項目名】００１０
【補正方法】変更
【補正の内容】
【００１０】
本発明によれば、設置精度を悪化させずに車両の窓ガラスに取り付け可能な車載カメラ装置を提供することができる。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
半導体光源と、前記半導体光源の出射光を受け、所定の周期運動を繰り返すことによりその反射光を灯具前方で水平方向に走査する反射体と、を含み、前記半導体光源の出射光を灯具前方で走査する走査型光源と、
前記反射体の基準箇所が所定位置を通過するタイミングを示す位置検出信号を生成する位置検出器と、
前記位置検出信号と同期して、前記半導体光源を駆動する点灯回路と、
を備え、
前記点灯回路は、
前記半導体光源に駆動電流を供給するコンバータと、
前記位置検出信号と、配光パターンを指示する配光パターン情報と、を受け、（i）前記位置検出信号の周期を取得し、（ii）前記位置検出信号のタイミングと前記周期とにもとづいて、現在の前記反射体の位置を示す位置情報を生成し、（iii）前記位置情報と前記配光パターン情報にもとづいて調光信号を生成する調光信号生成部と、
前記駆動電流が、前記調光信号に応じた目標量に近づくように、前記コンバータを制御するコンバータコントローラと、
を備えることを特徴とする車両用灯具。
【請求項２】
前記調光信号生成部は、前記位置検出信号のエッジごとにリセットされ、前記位置検出信号の周期をＮ分割（Ｎは整数）して得られる単位時間ごとにカウントアップあるいはカウントダウンするカウンタを含み、前記位置情報は、前記カウンタの出力に応じていることを特徴とする請求項１に記載の車両用灯具。
【請求項３】
前記車両用灯具は電子スイブル機能を備え、
前記配光パターン情報は、前記走査型光源が形成すべき配光の水平方向のピーク位置に関する情報を含み、
前記調光信号生成部は、前記ピーク位置において前記調光信号が最大値となるように、前記調光信号を生成することを特徴とする請求項１または２に記載の車両用灯具。
【請求項４】
前記調光信号生成部は、前記位置情報の値に対して前記調光信号の値を線形に変化させることを特徴とする請求項３に記載の車両用灯具。
【請求項５】
前記調光信号は、（i）前記位置情報が、配光パターンの一端に対応する値であるときに所定のベース値をとり、（ii）前記位置情報が、前記ピーク位置を示すときに前記最大値をとり、（iii）前記位置情報が、前記配光パターンの他端に対応する値であるときに前記ベース値をとることを特徴とする請求項３または４に記載の車両用灯具。
【請求項６】
前記調光信号生成部は、前記ピーク位置に応じて前記調光信号の増加部分の傾きと減少部分の傾きを演算し、演算して得られた２つの傾きにもとづいて前記調光信号を生成することを特徴とする請求項５に記載の車両用灯具。
【請求項７】
前記調光信号生成部は、電子スイブルにおいて使用される基本波形を保持しており、前記ピーク位置に応じて、前記基本波形をシフトさせることにより、前記調光信号を生成することを特徴とする請求項３または４に記載の車両用灯具。
【請求項８】
前記基本波形は、ベース値をとる第１部分、前記ベース値から前記最大値に向かって単調増加する第２部分、前記最大値から前記ベース値に向かって単調減少する第３部分、前記ベース値をとる第４部分を有することを特徴とする請求項７に記載の車両用灯具。
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
複数種の当りが含まれている中で当落に関する抽選を行う抽選手段と、
前記抽選手段による抽選の結果に基づいた図柄組合せが表示される図柄表示領域と、を備え、
１回のゲームにおいて複数回の図柄組合せが表示可能とされた遊技機であって、
１回の第１のゲームにて同じ図柄ではないものの同じ種別の図柄から構成される図柄組合せが表示され、
前記第１のゲームの次の１回のゲームである第２のゲームにて同じ図柄ではないものの同じ種別の図柄から構成される図柄組合せが表示され、
前記第２のゲームの次の１回のゲームである第３のゲームにおいて、前記第１のゲームにて表示された図柄の種別と同じであるが前記第１のゲームにて表示された図柄組合せとは異なり全て同じ図柄から構成される図柄組合せ１と、前記第２のゲームにて表示された図柄の種別と同じであるが前記第２のゲームにて表示された図柄組合せとは異なり全て同じ図柄から構成される図柄組合せ２を表示することで複数回の図柄組合せの表示を行うことを可能とし、
前記第３のゲームにおいて、前記図柄組合せ１と前記図柄組合せ２を表示するそれぞれの状況において揺れ変動を伴った仮停止によって表示され、
前記図柄組合せ１が揺れ変動を伴った仮停止によって表示されてから、前記図柄組合せ２が揺れ変動を伴った仮停止によって表示されるまでには所定時間があり、該所定時間において特別演出を実行可能とし、
遊技者が操作可能な操作手段に対して所定の操作を行うように指示する指示表示を実行可能とする
ことを特徴とする遊技機。
【手続補正２】
【補正対象書類名】明細書
【補正対象項目名】０００５
【補正方法】変更
【補正の内容】
【０００５】
しかしながら、ゲーム結果として特典が付与されることは楽しみの１つであるものの、ゲームを楽しませる更なる工夫が施された遊技機を望む声も少なからず存在する。
【手続補正３】
【補正対象書類名】明細書
【補正対象項目名】０００６
【補正方法】変更
【補正の内容】
【０００６】
そこで、本発明は、上述した課題に鑑み、ゲームを楽しませる更なる工夫が施された遊技機を提供することを目的とする。
【手続補正４】
【補正対象書類名】明細書
【補正対象項目名】０００７
【補正方法】変更
【補正の内容】
【０００７】
前記目的を達成するために、本発明は、複数種の当りが含まれている中で当落に関する抽選を行う抽選手段と、前記抽選手段による抽選の結果に基づいた図柄組合せが表示される図柄表示領域と、を備え、１回のゲームにおいて複数回の図柄組合せが表示可能とされた遊技機であって、１回の第１のゲームにて同じ図柄ではないものの同じ種別の図柄から構成される図柄組合せが表示され、前記第１のゲームの次の１回のゲームである第２のゲームにて同じ図柄ではないものの同じ種別の図柄から構成される図柄組合せが表示され、前記第２のゲームの次の１回のゲームである第３のゲームにおいて、前記第１のゲームにて表示された図柄の種別と同じであるが前記第１のゲームにて表示された図柄組合せとは異なり全て同じ図柄から構成される図柄組合せ１と、前記第２のゲームにて表示された図柄の種別と同じであるが前記第２のゲームにて表示された図柄組合せとは異なり全て同じ図柄から構成される図柄組合せ２を表示することで複数回の図柄組合せの表示を行うことを可能とし、前記第３のゲームにおいて、前記図柄組合せ１と前記図柄組合せ２を表示するそれぞれの状況において揺れ変動を伴った仮停止によって表示され、前記図柄組合せ１が揺れ変動を伴った仮停止によって表示されてから、前記図柄組合せ２が揺れ変動を伴った仮停止によって表示されるまでには所定時間があり、該所定時間において特別演出を実行可能とし、遊技者が操作可能な操作手段に対して所定の操作を行うように指示する指示表示を実行可能とすることを特徴とする遊技機。
【手続補正５】
【補正対象書類名】明細書
【補正対象項目名】０００８
【補正方法】変更
【補正の内容】
【０００８】
本発明によれば、ゲームを楽しませる更なる工夫が施された遊技機を提供することができる。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
歯内治療中に根管内洗浄剤を活性化するためのコードレスツールであって、
本体近位端及び本体遠位端を有するコントラアングルツール本体を形成する、上部ハウジング、下部ハウジング、及び背面ハウジングと、
超音波活性化を制御するための前記上部ハウジングのボタンと、
前記ツール本体内に設けられた電源と、
前記上部ハウジングと前記下部ハウジングの間のツール本体の中心線の近傍に配置されたプリント回路基板アセンブリと、
前記上部ハウジングと前記下部ハウジングの間の遠位に配置された超音波圧電変換器と、を備え、
前記超音波圧電変換器が、
複数の圧電ディスクを含み、スタック第１の側面及びスタック第２の側面を備えた圧電セラミックスタックと、
バックマス第１の端部とバックマス第２の端部とを有し、該バックマス第１の端部と該バックマス第２の端部との間に異なる半径の一連のリングが挿入されている、バックマス本体と、
前記圧電スタックアセンブリによる機械的振動を増幅するためのホーンと、を備えている
コードレスツール。
【請求項２】
前記本体遠位端に配置された治療チップをさらに備える、請求項１に記載のツール。
【請求項３】
前記プリント回路基板は、根管内にキャビテーションを生成するために前記圧電変換器に電力を供給する高電圧駆動信号を生成することができる、請求項１及び２の何れか一項に記載のツール。
【請求項４】
前記複数の圧電ディスクは、前記ツールの残りの部分から絶縁された中心電極に正極が接触するように配置され、前記スタック第１の側面及び前記スタック第２の側面を含む前記ツールの残りの部分が負または接地電位にあって前記圧電素子の負極の回路を完成させる、請求項１〜３の何れか一項に記載のツール。
【請求項５】
前記バックマス第１の端部は、前記スタック第２の側面に当接し、且つ、前記スタックアセンブリを通って延在し前記ホーンにしっかりと接続するねじ部分を有する延長シャフトを備える、請求項１〜４の何れか一項に記載のツール。
【請求項６】
前記ホーンは、第１のセグメント、及び該第１のセグメントに隣接する第２のセグメントを有し、前記第１のセグメントが近位セグメント端部及び遠位セグメント端部を含み、前記第１のセグメント近位セグメント端部が前記圧電スタック第１の側面に隣接している、請求項１〜５の何れか一項に記載のツール。
【請求項７】
前記第１のセグメントは、実質的にフルスト円錐形で前記近位セグメント端部から前記遠位セグメント端部に向かって先細になり、前記遠位セグメント端部に向かって超音波エネルギーの増幅を促進する、請求項６に記載のツール。
【請求項８】
前記治療チップと流体連絡するポンプをさらに備える、請求項２〜７の何れか一項に記載のツール。
【請求項９】
前記ポンプはエラストマ輸液ポンプ及び圧電ポンプからなる群から選択され、前記ポンプは毎分０．０１〜２０．０ｍＬの間の前記治療チップを流れる流量を生成することができる、請求項８に記載のツール。
【請求項１０】
前記ハウジングに前記近位端で配置されたキャニスタをさらに備え、前記キャニスタが前記治療チップと流体連絡している、請求項２〜７の何れか一項に記載のツール。
【請求項１１】
前記本体遠位端に配置され前記治療チップに流体連絡する流体ポートをさらに備える、請求項２〜７の何れか一項に記載のツール。
【請求項１２】
前記変換器が、洗浄剤を前記治療チップに送達するための貫通ボアを含む、請求項２〜１１の何れか一項に記載のツール。
【請求項１３】
前記上部ハウジング、前記下部ハウジング、及び前記背面ハウジングが、前記プリント回路基板、前記電源、及び前記圧電変換器をしっかりと包含するように構成され、前記圧電変換器が動きの自由のある、請求項１〜１２の何れか一項に記載のツール。
【請求項１４】
前記圧電変換器が、４０〜６０ｍｍの間の長さがあり２５〜５０ｋＨｚの間の負荷共振周波数を有する、請求項１〜１３の何れか一項に記載のツール。
【請求項１５】
前記プリント回路基板が前記変換器を共振周波数で駆動する、請求項１〜１４の何れか一項に記載のツール。
【請求項１６】
前記電源が、ＤＣ電池、スーパーキャパシタ、充電式電池、リチウムイオン電池、及びそれらの組み合わせから選択される、請求項１〜１４の何れか一項に記載のツール。
【請求項１７】
医療または歯科処置中に超音波エネルギーを送達する方法であって、請求項１〜１６の何れか一項に記載のツールを提供し、ツールを作動させて超音波エネルギーを送達することを含む方法。
【請求項１８】
手順が歯内処置である、請求項１７に記載の方法。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
鼻カニューレであって、
使用者の顔の上に配置される本体であって、前記本体が、少なくとも１つの鼻プロングを含み、前記鼻プロングの各々が呼吸用ガスの供給源と流体連通するように、前記鼻プロングの各々に流体接続されることが可能な内腔を含み、前記鼻プロングの各々が、前記使用者の鼻の一方または両方の鼻孔内に挿入される構成であるか、あるいは前記一方または両方の鼻孔にガス流を向けるかのいずれかである、本体と、
前記少なくとも１つの鼻プロングと流体連通する管と、
前記本体が、前記鼻カニューレの少なくとも第１領域が受ける力または動きあるいは両方に応答する少なくとも１つの要素を含む、鼻カニューレ。
【請求項２】
前記要素が、前記鼻カニューレの少なくとも別の領域に伝達されないように、前記鼻カニューレの少なくとも第１領域に加えられる力または動きあるいは両方の伝達の低減を促進する、請求項１に記載の鼻カニューレ。
【請求項３】
前記要素が、前記少なくとも第１領域が受ける前記力または前記動きあるいは両方を局所化するように応答する、請求項１または２に記載の鼻カニューレ。
【請求項４】
前記要素が、前記少なくとも第１領域から前記鼻カニューレの少なくとも１つの他の領域への前記力または前記動きあるいは両方の伝達を最小限にするかまたは防止するように応答する、請求項１〜３のいずれか一項に記載の鼻カニューレ。
【請求項５】
前記少なくとも１つの要素が、前記鼻カニューレに力がかけられるときに前記使用者の顔の上で前記少なくとも１つの鼻プロングの位置を安定化するように構成されている請求項１〜４のいずれか一項に記載の鼻カニューレ。
【請求項６】
前記鼻カニューレは、前記管と一体型又は単体構成要素として形成されている、請求項１〜５のいずれか一項に記載の鼻カニューレ。
【請求項７】
前記管は、前記鼻カニューレに付着されるか結合されている、請求項１〜６のいずれか一項に記載の鼻カニューレ。
【請求項８】
前記管は、独立した流路を有する２つの別個の側部を含む、請求項１〜７のいずれか一項に記載の鼻カニューレ。
【請求項９】
前記管は、ガス供給源に接続される呼吸チューブを受け入れる開放端を有する、請求項１〜８のいずれか一項に記載の鼻カニューレ。
【請求項１０】
前記管は、少なくとも部分的に前記本体から横方向に延在する、請求項１〜９のいずれか一項に記載の鼻カニューレ。
【請求項１１】
前記使用者の顔の上に載るように構成された１つまたは複数のウィング又は顔パッドをさらに備える、請求項１〜１０のいずれか一項に記載の鼻カニューレ。
【請求項１２】
前記鼻カニューレは、一対のウィング又は顔パッドを備え、前記ウィング又は顔パッドは少なくとも部分的に前記本体から横方向に延在する、請求項１１に記載の鼻カニューレ。
【請求項１３】
前記管は、前記ウィング又は顔パッドに結合されている、請求項１１又は請求項１２に記載の鼻カニューレ。
【請求項１４】
前記ウィング又は顔パッドの各々は、前記鼻カニューレが前記使用者の顔の上に配置されたとき、前記管と前記使用者の顔との間に位置付けられる、請求項１３に記載の鼻カニューレ。
【請求項１５】
前記ウィング又は顔パッドは、前記使用者の顔の領域と係合するように輪郭が付けられている、請求項１１〜１４のいずれか一項に記載の鼻カニューレ。
【請求項１６】
前記ウィング又は顔パッドは、前記使用者の顔の形状を反映するサイズ、形状および湾曲で解剖学的に成形されている、請求項１１〜１５のいずれか一項に記載の鼻カニューレ。
【請求項１７】
前記ウィング又は顔パッドは、外側部分の方が広く、中間に向かって狭くなるように先細りになっている、請求項１１〜１６のいずれか一項に記載の鼻カニューレ。
【請求項１８】
前記少なくとも１つの要素のうち、少なくとも１つは、前記少なくとも１つの鼻プロングに隣接して、前記少なくとも１つの鼻プロングの外側に位置している、請求項１〜１７のいずれか一項に記載の鼻カニューレ。
【請求項１９】
前記少なくとも１つの要素のうち、少なくとも１つは、使用時に前記使用者の頬の周囲に凸形状を形成するように外向きに曲がるよう構成されている、請求項１〜１８のいずれか一項に記載の鼻カニューレ。
【請求項２０】
前記本体は複数の前記要素を備え、前記複数の要素の少なくとも一対は、前記鼻プロングの両側にある外側要素である、請求項１〜１９のいずれか一項に記載の鼻カニューレ。
【請求項２１】
前記本体は一対の前記鼻プロングを備え、前記鼻カニューレは更に、前記一対の鼻プロングの間に延在するブリッジを備える、請求項１〜２０のいずれか一項に記載の鼻カニューレ。
【請求項２２】
前記ブリッジが内向きに曲がることにより、前記使用者に近づくように内向きに前記少なくとも１つの鼻プロングが変位する、請求項２１に記載の鼻カニューレ。
【請求項２３】
前記少なくとも１つの要素のうち、１つは前記ブリッジのブリッジ要素である、請求項２１又は請求項２２に記載の鼻カニューレ。
【請求項２４】
前記鼻カニューレは使用者の顔の外形に対応する全体的な湾曲を有し、前記ブリッジは、前記鼻カニューレの残りの部分と比較して反転した湾曲を有する、請求項２１〜２３のいずれか一項に記載の鼻カニューレ。
【請求項２５】
前記鼻カニューレはガルウイング形状を有する、請求項１〜２４のいずれか一項に記載の鼻カニューレ。
【請求項２６】
前記ガルウイング形状は、使用者の顔の外形に略対応する全体的な湾曲を有する、請求項２５に記載の鼻カニューレ。
【請求項２７】
前記少なくとも１つの要素は、切り欠きを備える、請求項１〜２６のいずれか一項に記載の鼻カニューレ。
【請求項２８】
前記少なくとも１つの要素は、可撓性が異なる２つ以上の材料を含む、請求項１〜２７のいずれか一項に記載の鼻カニューレ。
【請求項２９】
前記少なくとも１つの要素は、可変断面積または可変厚さを有する、請求項１〜２８のいずれか一項に記載の鼻カニューレ。
【請求項３０】
前記少なくとも１つの要素は、前記使用者に適用する前に予め応力が加えられるように構成された弾性ヒンジを含む、請求項１〜２９のいずれか一項に記載の鼻カニューレ。
【請求項３１】
前記少なくとも１つの要素は、
ピボット（単複）または枢動することができる領域、
スイベル（単複）または旋回することができる領域、
ヒンジ（単複）または蝶番領域、あるいは前記鼻カニューレの別の構成要素または前記鼻カニューレの別の領域に対して蝶番式に取り付けられることが可能な領域、
関節または関節継手（単複）、あるいは関節運動することができる領域、
ボール−ソケット型継手（単複）、
ピン−イン−バレル型継手（単複）
のいずれか１つ又は２つ以上である、
請求項１〜３０のいずれか一項に記載の鼻カニューレ。